(57)【特許請求の範囲】
【請求項１】
プリント回路基板に取付けられ、相手側電源コネクタに当接されて電力を転送するための電源コネクタであって、
前記相手側電源コネクタとの当接部分を収容する収容室及び導電端子組の各端子を収容する複数の収容溝を有している絶縁本体と、
前記導電端子組の一部を構成する複数の当接端子と、
前記導電端子組の一部を構成し、前記当接端子とプリント回路基板とを接続する中継端子と、を有し、
前記当接端子は前記収容室の周りにある前記絶縁本体内に組み付けられ、各前記当接端子は、前記収容室に延入され、前記相手側電源コネクタとの当接部分で接触している当接部と、前記絶縁本体の前記収容溝内に対応して収容される固着部と、を含み、
前記中継端子は、前記プリント回路基板に半田付けされる脚部と、前記絶縁本体の前記収容溝内に対応して収容される固着部と、前記当接端子に接触される押圧部と、を含み、
前記押圧部は、少なくとも１つの前記当接端子の前記固着部に押圧している導電端子組を備えることを特徴とする電源コネクタ。
【請求項２】
前記電源コネクタはシグナル端子を具備し、前記絶縁本体は、外層にある第１本体と、該第１本体の後方から前記収容室に延入され前記第１本体と共軸に設置された第２本体と、を含み、前記第２本体は、周りに複数の収容溝が設けられ、長手の軸線方向に前記シグナル端子を収容するための収容穴が設けられていることを特徴とする請求項１記載の電源コネクタ。
【請求項３】
前記導電端子組は、複数の第１当接端子及び第１中継端子を有する第１導電端子組と、前記第２本体の周りの前記収容溝内に組み付けられる複数の第２当接端子及び該第２当接端子と前記プリント回路基板とを接続するための第２中継端子を有する第２導電端子組と、を含んでいることを特徴とする請求項２記載の電源コネクタ。
【請求項４】
前記絶縁本体の後端面の対角線に４つの第１収容溝が対称的に配置され、前記絶縁本体の上面、底面及び両側面から所定の距離に４つの第２収容溝が対称的に配置され、前記第１収容溝から構成された円周が前記第２収容溝から構成された円周の外方向に位置し、２つの前記第２収容溝はそれぞれ前記後端面の上方及び下方に位置し、その他の２つの前記第２収容溝はそれぞれ前記後端面の左側及び右側に位置し、上方にある前記第２収容溝の上方に第３収容溝が設けられ、前記第２収容溝に位置合わせて左側及び右側の前記第２収容溝に臨む外方にそれぞれ一対のグルーブが設けられ、前記絶縁本体の中央部には、直立方向に延伸され前記収容穴と連通されるスロットが設けられていることを特徴とする請求項３記載の電源コネクタ。
【請求項５】
前記シグナル端子は、前記第２本体の前記収容穴内に収容される当接端と、該当接端の端部から直立方向に下方へ形成され前記スロットに収容されるテール部とを含み、前記テール部は中部に形成され前記プリント回路基板に支持される支持部と、前記プリント回路基板に取付けられる半田付け部とを具備し、前記当接端の後部の上側縁及び下側縁に前記収容穴に干渉されるための引掛部が設けられていることを特徴とする請求項４記載の電源コネクタ。
【請求項６】
前記絶縁本体の周りに被覆される遮蔽ハウジングを含み、該遮蔽ハウジングは前記絶縁本体の底部に係合される一対の係止部を有していることを特徴とする請求項１記載の電源コネクタ。
【請求項７】
前記第１導電端子組は前記絶縁本体の後部の前記第１収容溝から前記第１本体内に組み込まれる４本の第１当接端子を有し、その下方にある２本の前記第１当接端子は前記相手側電源コネクタに電気的に当接され、上方にある２本の前記第１当接端子は電気回路を提供せず、円周方向に前記相手側電気コネクタを機械的に支持し、各前記第１当接端子は固着部と該固着部の先端から内部へ斜め延伸し外部へ湾曲し延伸して形成される当接部とを有し、前記固着部は前記第１収容溝に係合される引掛部が設けられていることを特徴とする請求項４記載の電源コネクタ。
【請求項８】
前記第２導電端子組は４本の第２当接端子を有し、その左側及び右側にある２本の前記第２当接端子は前記相手側電気コネクタに電気的に当接され、上方及び下方にある２本の前記第２当接端子は電気回路を提供せず、円周方向に前記相手側電気コネクタを機械的に支持し、各前記第２当接端子は固着部と該固着部の先端から外部へ斜め延伸し内部へ湾曲し延伸して形成される当接部とを有し、前記固着部は前記第２収容溝に係合される引掛部が設けられていることを特徴とする請求項４記載の電源コネクタ。
【請求項９】
前記第１中継端子は固着部と該固着部の両側から上方向へ延伸して形成される一対の押圧部とを具備し、各前記押圧部は前記第１当接端子の前記固着部に対応して押圧する押圧片が設けられ、前記第１中継端子の前記固着部の左側縁及び右側縁の前部に前記絶縁本体と干渉され前記第２中継端子を前記絶縁本体内に固着するための複数の引掛部が設けられていることを特徴とする請求項７記載の電源コネクタ。
【請求項１０】
前記第２中継端子は横桁と該横桁から下方向に延伸して形成され前記プリント回路基板に取付けられるための一対の脚部とを有し、前記横桁の中間部に前記第３収容溝に係合するための上固着部が延伸して形成され、各前記脚部の両側に押圧片を有する内押圧部及び外固着部が延伸して形成され、前記内押圧部は前記第２収容溝内に固着して組み込まれるとともに、押圧片により前記第２当接端子の固着部に対応して押圧され、前記外固着部は前記第２収容溝に臨むグルーブ内に組み込まれていることを特徴とする請求項８記載の電源コネクタ。
【発明の詳細な説明】
【０００１】
【発明の属する技術分野】
本発明は、電源コネクタに関し、特に分離して設置される端子を有する電源コネクタに関するものである。
【０００２】
【従来の技術】
電源コネクタは電子領域に広く応用され、それぞれ電源のアノードとしての内層端子及びカソードとしての外層端子を有し、電源コネクタは端子のアノード及びカソードにより電子部材に使用電圧を提供するものである。当該電源コネクタの従来技術は特許文献１乃至特許文献５、及び非特許文献１を参照されたい。前記特許文献５は長さの異なる端子を有するプラグコネクタと当接可能な電源コネクタを示し、その端子は金属板から打ち抜かれ、湾曲、切断などのステップを通して成形され、円筒状に配列される複数の当接部と該当接部に一体に接続する半田テール部とを含み、端子の当接部に当接端子が軸線方向に移動することを防止するための突出部が設けられ、端子の取付け部に端子が軸線を纏う回転を防止するための横方向の突出部が設けられる。しかし、前記電源コネクタの端子は下記の欠点を有する。１）一体に打ち抜かれた当接部及び半田テール部としての金型構造が複雑で、金型設計及び製造が難しく、コストが高い。２）湾曲及び切断ステップが非常に難しく、不良率が高い。３）組立プロセスが複雑で、全体製造コストが高い。
【０００３】
したがって、従来技術の欠点を克服するためには前記電源コネクタの端子構造を改良することが必要である。
【０００４】
【非特許文献１】
http://www.jacks.com.tw/dir5.htm
【特許文献１】
台湾実用新案登録出願第４４９１３５号公報
【特許文献２】
米国特許第４７０２７０７号明細書
【特許文献３】
米国特許第５３７６０１２号明細書
【特許文献４】
米国特許第６３１９０７５号明細書
【特許文献５】
米国特許第６１９０２１５号明細書
【０００５】
【発明が解決しようとする課題】
本発明は、端子構造が簡単で、金型の設計及び製造がし易く、金型の開発コストが低く、成形プロセスが簡単で、組立が容易で、製造コストが低減される電源コネクタを提供することを目的とする。
【０００６】
【課題を解決するための手段】
本発明の課題を解決するために、本発明の電源コネクタは絶縁本体と導電端子組とを含み、前記絶縁本体には相手側電源コネクタとしての当接部分を収容するための収容室と導電端子組の端子を対応して収容するための複数の収容溝とが設けられる。前記導電端子組は複数の当接端子と該当接端子及び前記プリント回路基板を接続するための中継端子とを含み、前記当接端子組は前記収容室の周りにある絶縁本体内に組み付けられ、各当接端子は前記収容室内に突出され相手側電源コネクタとしての当接部分を接触する当接部と、前記絶縁本体の収容溝に対応して収容される固着部とを有し、前記中継端子はプリント回路基板に半田付けされる脚部と、絶縁本体の収容溝に対応して収容される固着部と、前記当接端子に接触される押圧部とを含み、前記押圧部は少なくとも１つの前記当接端子の固着部を押圧している。
【０００７】
【発明の実施の形態】
図１乃至図３を参照すると、本発明の電源コネクタ１００は絶縁本体２と、電力転送用の第１導電端子組２００と、第２導電端子組３００と、シグナル端子９と、遮蔽ハウジング１とを含む。
【０００８】
前記絶縁本体２は、略立方体に構成され中央部に収容室３を形成する第１本体２１と、絶縁本体２の後部から前記収容室３に延入され円柱状の第２本体２２とを含む。該第２本体２２には長手方向の軸線部に直径が比較的小さな収容穴４が形成されている。前記第１本体２１の上面の先端にプラットホーム（標示せず）を有し、該プラットホームの中部から後方向に凸部２１１が延伸している。絶縁本体２の後端面の対角線に４つの第１収容溝２５が対称的に配置され、上面、底面及び両側面から所定の距離に４つの第２収容溝２４が対称的に配置され、前記第１収容溝から構成された円周が前記第２収容溝から構成された円周の外方向に位置し、２つの第２収容溝はそれぞれ前記絶縁本体２の後端面の上方及び下方に位置し、その他の２つの第２収容溝２４はそれぞれ後端面の左側及び右側に位置し、上方にある第２収容溝２４の上方に第３収容溝２３が設けられ、該第２収容溝２４に位置合わされている。左側及び右側の第２収容溝２４に臨む外方にそれぞれ一対のグルーブ２７が設けられている。絶縁本体２の中央部には直立方向に延伸し、前記収容穴４と連通しているスロット２６が設けられている。
【０００９】
図５乃至図８を併せて参照すると、前記第１導電端子組２００は対称的に配置される４つの第１当接端子６及び１つの第１中継端子７を含み、前記第２導電端子組３００は４つの第１当接端子５及び１つの第１中継端子８を含み、各第１当接端子６は固着部６１と該固着部６１の先端から内部へ斜めに延伸し外部へ湾曲し延伸して形成される当接部６３とを有し、第２当接端子５は固着部５１と該固着部５１の先端から内部へ斜めに延伸し外部へ湾曲し延伸して形成される当接部５３とを有している。該固着部５１、６１の両辺縁に複数の引掛部が形成されている。
【００１０】
前記第１中継端子７は固着部７１と該固着部７１の後部の両側縁から上方向へ延出して形成される一対の押圧部７２とを具備する。固着部７１の左側縁及び右側縁の前部に複数の引掛部７１０が設けられ、各押圧部７２の後部に前方から後方へ上方向に押圧片７２０が偏向して形成され、固着部７１の前後の両側縁から脚部７３が下方向に延伸して形成され、該脚部７３の中央部に半田ペーストを収容するための短いグルーブ７３１が設けられている。
【００１１】
前記第２中継端子８は、「ｎ」字形に構成され、上方にある横桁８１と該横桁８１の両端から下方向に延伸して形成される一対の腿部８２とを有する。該横桁の中間部に上固着部８１１が前方向に延伸して形成され、各脚部８２の内、外両側にそれぞれ内側にある内押圧部８３と外側にある外固着部とが前方に延伸して形成され、その内押圧部８３の上方中部に前方から後方へ押圧片８３０が外部に偏向して形成され、各外固着部８４の上辺縁及び下辺縁にいずれも引掛部８４１が設けられている。前記腿部８２の中央部に半田ペーストを収容するための長いグルーブ８２１が設けられ、該長いグルーブ８２１が腿部８２を越えて脚部８５が形成されている。
【００１２】
前記シグナル端子９は、ホーク状の当接端９１と該当接端９１の末端から直立に下方向へ形成されるテール部９３とを具備し、前記当接端９１の上側縁及び下側縁の略後部に複数の引掛部９２が設けられ、前記テール部９３は中部に形成される支持部９３１と該支持部９３１の下方に位置される半田付け部９３２とを有している。
【００１３】
前記遮蔽ハウジング１は、「ｎ」字形に構成され、頂壁と、該頂壁を接続する左側壁及び右側壁（標示せず）とを有する。前記ハウジング１の頂壁の前端中央部に切欠部１３が形成され、該ハウジング１の左側壁及び右側壁の下方の中央部から一対の係止部１２が上方に湾曲して形成され、左側壁及び右側壁の前部及び後部から下方向へ脚部１１が一体に延伸され、各脚部１１の中央部に半田ペーストを収容するグルーブ（標示せず）が形成されている。
【００１４】
組立の時に、図３及び図４を参照すると、前記第１当接端子６は電源アノードとして絶縁本体２の第１本体２１の４つ角に収容される。前記第２当接端子５は電源カソードとして絶縁本体２の第２本体２２に収容され、第２本体２２の外周に位置し、その２本の第２当接端子５はそれぞれ第２本体２２の上側及び下側に位置し、その他の２本はそれぞれ第２本体２２の左側及び右側に位置している。前記第２、第１当接端子５、６の固着部５１、６１はそれぞれ絶縁本体２の後端の第２収容溝２４及び第１収容溝２５に組み込まれ、該固着部５１、６１の側縁の引掛部５１０、６１０により前記第２、第１収容溝２４、２５に干渉して係合され、これにより第２、第１当接端子５、６が絶縁本体２に固着される。前記第２、第１当接端子５、６の当接部５３、６３の一部は収容室に収容され相手側コネクタとしての当接部分に当接される。シグナル端子９は第２本体２２の収容穴４に収容され、当接端９１にある引掛部９２により収容穴４に干渉してシグナル端子が第２本体２２内に固着され、前記テール部９３は絶縁本体２の後端のストット２６に収容され、その支持部９３１はプリント回路基板（図示せず）に支持され、半田付け部９３２はシグナル端子９をプリント回路基板に取付けている。前記遮蔽ハウジング１は絶縁本体２の外周に被覆され、切欠部１３は絶縁本体２の凸部２１１に係合され、その一対の係止部１２は絶縁本体２の底部の凹所２８内に係止し込み絶縁本体２と遮蔽ハウジング１とを緊密に結合させ（図９参照）、脚部１１はプリント回路基板（図示せず）に半田付けられている。
【００１５】
図３、図５及び図６は第１中継端子７が如何に第１当接端子６と電気的に接続されるのかを示した図面である。第１中継端子７は絶縁本体の底部に下方にある２つの第１収容溝２５と一体に接続するスリットから絶縁本体２に組み込まれ、固着部７１は引掛部７１０によりスリットと干渉して係合され、押圧部７２は第１収容溝２５に固着して組み込まれ押圧片７２０より下方にある第１当接端子６の固着部６１に対応して押圧され電気的に接続されている。第１中継端子７の脚部７３はプリント回路基板（図示せず）に半田付けられる。
【００１６】
図３、図７及び図８は、第２中継端子８が如何に第１当接端子５と電気的に接続されるのかを示した図面である。第２中継端子８が絶縁本体２の後方に組み込まれた後、上固着部８１１は前記第３収容溝２３に組み込まれ緊密に干渉され、前記一対の内押圧部８３はそれぞれ絶縁本体２の後部の左側及び右側の第２収容溝２４に固着して組み込まれ、該固着部８４はそれぞれ絶縁本体２の後部の一対のグルーブ２７に組み込まれ、引掛部８４１によりグルーブ２７に干渉される。内押圧部８３の押圧片８３０は同様に左側及び右側の第２収容溝２４の第２当接端子５の固着部５１に対応し押圧して電気的に接続される。第２中継端子８の脚部８５はプリント回路基板（図示せず）に半田付けられる。
【００１７】
本発明の電源コネクタ１００の第１導電端子組２００及び第２導電端子組３００は、電源カソードとしての４つの第１当接端子６と、電源アノードとしての４つの第２当接端子５とを含み、第１、第２中継端子７、８はそれぞれ第１、第２当接端子６、５の固着部６１、５１を電気的に接続するための一対の押圧片７２０、８２０を有する。したがって、僅かに２つの第１、第２当接端子６、５は相手側電気コネクタ（図示せず）も電気的に接続するために用いられ、その他の２つ当接端子は電気回路を提供していないで、機械的に支持されて相手側電気コネクタから円周方向に力を均一に受けている。また、第１、第２中継端子７、８と第１、第２当接端子６、５とはそれぞれ成形され、各端子は構造が簡単で、金型設計及び製造が容易となり、金型開発コスト及び生産コストが大いに低減することになる。
【００１８】
本発明もその他の実施の形態を採用し、例えば、前記第１導電端子組２００及び第２導電端子組３００は当接端子と中継端子とを分離して設置する方式を僅かに１組だけ採用し、その１組が当接端子と中継端子とを一体に設置する方式を採用する。
【００１９】
前記の実施の形態は単に本願のより良い実施の形態に過ぎず、本発明の請求範囲を限定するものではなく、当業者は本発明に基づきなしうる細部の修正或いは変更など、いずれも本発明の特許請求の範囲に属するものとする。
【図面の簡単な説明】
【図１】  本発明の電源コネクタの斜視図である。
【図２】  本発明の電源コネクタの正面から見た分解斜視図である。
【図３】  本発明の電源コネクタの背面から見た分解斜視図である。
【図４】  図１のＩＶ―ＩＶ線方向の断面図である。
【図５】  本発明の電源コネクタの第１導電端子と第１中継端子とを結合する正面から見た斜視図である。
【図６】  本発明の電源コネクタの第１導電端子と第１中継端子とを結合する背面から見た斜視図である。
【図７】  本発明の電源コネクタの第２導電端子と第２中継端子とを結合する正面から見た斜視図である。
【図８】  本発明の電源コネクタの第２導電端子と第２中継端子とを結合する背面から見た斜視図である。
【図９】  本発明の電源コネクタの底面から見た斜視図である。
【符号の説明】
１      遮蔽ハウジング
２      絶縁本体
３      収容室
４      収容穴
５      第２当接端子
６      第１当接端子
７      第１中継端子
８      第２中継端子
９      シグナル端子
１１、７３、８５      脚部
１２      係止部
１３      切欠部
２１      第１本体
２２      第２本体
２３      第３収容溝
２４      第２収容溝
２５      第１収容溝
２６      スロット
２７      グルーブ
２８      凹所
５１、６１、７１      固着部
５３、６３      当接部
７２      押圧部
８１      横桁
８２      腿部
８３      内押圧部
８４      外押圧部
９１      当接端
９３      テール部
１００      電源コネクタ
２００      第１導電端子組
２１１      凸部
３００      第２導電端子組
５１０、６１０、７１０、８４１、９２      引掛部
７２０      押圧片
７３１      短いグルーブ
８１１      上固着部
８２１      長いグルーブ
８３０      押圧片
９３１      支持部
９３２      半田付け部
【図１】
0003923910.tif 000002
【図２】
0003923910.tif 000003
【図３】
0003923910.tif 000004
【図４】
0003923910.tif 000005
【図５】
0003923910.tif 000006
【図６】
0003923910.tif 000007
【図７】
0003923910.tif 000008
【図８】
0003923910.tif 000009
【図９】
0003923910.tif 000010